(57)【特許請求の範囲】
【請求項１】
スマートフォンを保護し支持しながら外部表面にキャラクタケースが着脱結合するように支持するスマートフォンケース１００と、
スマートフォンケースの外部表面の中央一側と着脱結合されてユーザの設定によってキャラクタを、スマートフォンケースを基準として回転させるキャラクタケース２００で構成され、
前記スマートフォンケース１００は、
スマートフォン後面と側面枠の全体を含みながら結合するように四角カバー状からなるケース本体１１０と、
ケース本体の外部表面中央に形成され、着脱回転キャップを有するキャラクタケースを着脱式で結合させながら結合されたキャラクタケースをクリッキング音と共に、１°〜３６０°回転に回転させるように支持するクリッキング固定キャップ１２０で構成され、
前記クリッキング固定キャップ１２０は、
円形状に突出され、円周に沿って原点を基準として４５°間隔で凹溝が形成され、前記着脱回転キャップの第１キャップ挿入部のホックドット（Ｈｏｏｋ  Ｄｏｔ）が引っ掛かるように誘導させてクリッキング音と共に、キャラクタケースが４５°の間隔に回転されるように案内する第１キャップ支持部１２１と、
第１キャップ支持部内側に位置されながら、
（外３）
0005883145.tif 000004
形状の突起が先端部に形成され、前記着脱回転キャップの第２キャップ挿入部が引っ掛かるように、第２キャップ挿入部の上端部を支持した状態で第１キャップ支持部から伝達される回転力と回転角度によってキャラクタケースを回転させる第２キャップ支持部１２２で構成されていることを特徴とするクリッキング回転機能を有するキャラクタケースとスマートフォンケースとが結合されたダブル型ケース。
【請求項２】
スマートフォンを保護し支持しながら外部表面にキャラクタケースが着脱結合するように支持するスマートフォンケース１００と、
スマートフォンケースの外部表面の中央一側と着脱結合されてユーザの設定によってキャラクタを、スマートフォンケースを基準として回転させるキャラクタケース２００で構成され、
前記キャラクタケース２００は、
動物、植物、人の形状などのプラスチック成形キャラクタからなってスマートフォンケース後面に着脱式で設けられるキャラクタ本体２１０と、
キャラクタ本体の外部表面中央に一体型に形成され、第１キャップ支持部及び第２キャップ支持部を有するクリッキング固定キャップを含むスマートフォンケースと着脱式に結合されながらスマートフォンケースを基準としてクリッキング音と共に、１°〜３６０°に回転される着脱回転キャップ２２０で構成され、
前記着脱回転キャップ２２０は、
前記第１キャップ支持部の支持空間に挿入されるように円形状に突出され、円周に沿って原点を基準として東西南北方向である９０°間隔でホックドット（Ｈｏｏｋ  Ｄｏｔ）が形成され、前記第１キャップ支持部の凹溝に引っ掛かりクリッキング音と共に、４５°に回転される第１キャップ挿入部２２１と、
前記第１キャップ支持部の内側に位置されながら、前記第２キャップ支持部と接触される部位が凸に突出されて形成されて前記第２キャップ支持部の
（外４）
0005883145.tif 000005
形状の突起と弾力性あるように結合されながら第１キャップ挿入部に伝達される回転力と回転角度によって回転される第２キャップ挿入部２２２で構成されていることを特徴とするクリッキング回転機能を有するキャラクタケースとスマートフォンケースとが結合されたダブル型ケース。
【発明の詳細な説明】
【技術分野】
【０００１】
本発明は、スマートフォンケースに回転が可能な部品を介してクリッキング回転機能を有するキャラクタケースを回転してスマートフォンを据置することができ、スマートフォン外観を美感あるものとして形成したクリッキング回転機能を有するキャラクタケースとスマートフォンケースとが結合されたダブル型ケースに関する。
【背景技術】
【０００２】
一般に、スマートフォンは機器の種類によってそれぞれ形状に差があり、ケースの形状により変化するものであって、スマートフォンケースの用途はスマートフォンを美観的に派手に構える用途以外に外部の衝撃からスマートフォンの液晶や機器外部がスクラッチや破損から損傷されるのを防止し、携帯して使用する場合にグリップ感を向上させる機能を有する。
【０００３】
従来のスマートフォンケースは、スマートフォン端末機の外側に結合されてユーザに柔らかい感触を与えて表面が滑らないように摩擦力を与え、容易に着脱されるように伸縮性を有するシリコンまたはウレタン材質で構成されて、側面部分や側面と背面をすべて囲む形態のケースで、背面にキャラクタやロゴ、絵、文様などの多様なパターンが印刷されている保護ケースだけでなっているか、または動物や事物などの多様な形態の立体的なケースで構成されたものが一般的である。
【０００４】
しかし、このような従来のスマートフォンケースは、背面に多様な形態の模様が形成されていても見るだけの独特な形状を表現するだけであって固定されていて、付加的な据置台の役割をするか、または回転する装置の構成がないために、一般的に多く使用する動画やＤＭＢ（Ｄｉｇｉｔａｌ  Ｍｕｌｔｉｍｅｄｉａ  Ｂｒｏａｄｃａｓｔｉｎｇ）のような画面を持続的に見る場合、据置できずに手で握るか、据置台を別に購入して携帯しなければならない問題点があった。
【発明の概要】
【発明が解決しようとする課題】
【０００５】
上記の問題点を解決するために本発明では、スマートフォンケース背面にキャラクタケースを着脱することができ、スマートフォンケースを基準として１゜〜３６０゜に角度調節しながら回転させることができ、底に据置台役割をすることができ、動物、植物、人の形状などの多様なキャラクタを形成することができて、スマートフォンケースの外観意匠を個人の趣向に応じて簡単に設置することができ、キャラクタケース材質を無毒性、耐久性、弾力性がある材質で形成し、クリッキング音を出すように構成することで、子供や乳児用のおもちゃとしても代替させることができるクリッキング回転機能を有するキャラクタケースとスマートフォンケースとが結合されたダブル型ケースを提供することにその目的がある。
【課題を解決するための手段】
【０００６】
上記の目的を達成するために本発明によるクリッキング回転機能を有するキャラクタケースとスマートフォンケースとが結合されたダブル型ケースは、
スマートフォンを保護し、支持しながら外部表面にキャラクタケースが着脱結合するように支持するスマートフォンケース１００と、
スマートフォンケースの外部表面の中央一側と着脱結合されてユーザの設定によってキャラクタを、スマートフォンケースを基準として回転させるキャラクタケース２００で構成される。
【発明の効果】
【０００７】
以上説明のように、本発明においては、スマートフォンケースを基準として１゜〜３６０゜に角度調節しながら回転させることができて、底に据置台の役割をすることができ、動物、植物、人の形状など多様なキャラクタを形成することができ、女性消費者にて独特の意匠による好感を誘発させることができ、キャラクタケース材質を無毒性、耐久性、弾力性のある材質で形成し、クリッキング音を出させるように構成することで、子供や乳児用のおもちゃとしても代替できる優れた効果がある。
【図面の簡単な説明】
【０００８】
【図１】本発明によるクリッキング回転機能を有するキャラクタケースとスマートフォンケースとが結合されたダブル型ケース１の全体的な構成要素を示す斜視図である。
【図２】本発明によるスマートフォンケース１００とキャラクタケース２００が結合される過程を示す縦断面図である。
【図３】本発明によるスマートフォンケース１００とキャラクタケース２００が結合された状態を示す縦断面図である。
【図４】本発明によるクリッキング固定キャップ１２０と着脱回転キャップ２２０の構成要素を示す斜視図である。
【図５】本発明によるクリッキング固定キャップ１２０と着脱回転キャップ２２０とが結合された内部状態を示す内部断面図である。
【図６】本発明によるプラスチック成形キャラクタを有するキャラクタケースとスマートフォンケースがクリッキング固定キャップ１２０と着脱回転キャップ２２０に結合されたことを示す一実施例図である。
【図７】本発明によるプラスチック成形キャラクタを有するキャラクタケースとスマートフォンケースがスライド方式に結合されたことを示す一実施例図である。
【図８】本発明による縫いぐるみキャラクタを有するキャラクタケースとスマートフォンケースがベルクロテープに結合されたことを示す一実施例図である。
【図９】本発明による縫いぐるみキャラクタを有するキャラクタケースとスマートフォンケースがクリッキング固定キャップ１２０と着脱回転キャップ２２０に結合されたことを示す一実施例図である。
【発明を実施するための形態】
【０００９】
まずは、本発明で説明されるキャラクタケースは、小説、マンガ、劇などに登場する独特の人や動物の姿を意匠に取り入れて製造したもので、内部に着脱回転キャップが形成されてスマートフォンケースに着脱結合されることをいう。
【００１０】
これは動物、植物、人形状に製造されたプラスチック成形キャラクタ、縫いぐるみ形状に製造された人形キャラクタを含むことを特徴とする。
【００１１】
以下、本発明による好適な実施形態を、図を参照しながら説明する。
【００１２】
図１は、本発明によるクリッキング回転機能を有するキャラクタケースとスマートフォンケースとが結合されたダブル型ケース１の全体的な構成要素を示す斜視図に関する図であって、これはスマートフォンケース１００、キャラクタケース２００で構成される。
【００１３】
まずは、本発明によるスマートフォンケース１００に関して説明する。
【００１４】
前記スマートフォンケース１００は、スマートフォンを保護し支持しながら外部表面がキャラクタケースを着脱結合させるように支持する役割をする。
【００１５】
これは、ケース本体１１０、クリッキング固定キャップ１２０で構成される。前記ケース本体１１０は、スマートフォン後面と側面全体を含みながら結合するように四角カバー状からなっているので、スマートフォン後面に異物が流入されたり、外圧が加えられることにより、スマートフォンの破損を防止する。
【００１６】
これは、シリコンまたはウレタン材質、プラスチック材質からなって、内部空間にスマートフォンが嵌め合うように外形と同じ大きさに形成されて外圧からスマートフォン外部のスクラッチや破損を保護することで、ユーザが携帯したり手で握ったりした時のグリップ感を良くし、また体積を低減するために厚さを０．７ｍｍ〜３ｍｍ以内に形成される。
【００１７】
前記クリッキング固定キャップ１２０は、ケース本体の外部表面中央に形成されてキャラクタケースを着脱式で結合させながら結合されたキャラクタケースをクリッキング音と共に、１゜〜３６０゜回転に回転されるように支持する。
【００１８】
これは、ケース本体と一体型に射出成形される一体型タイプと、別に独立型に製作されて超音波溶接機を介してケース本体と結合される独立型タイプで構成される。
【００１９】
本発明においては、一体型タイプからなるクリッキング固定キャップに関して説明する。
【００２０】
これは、第１キャップ支持部１２１、第２キャップ支持部１２２で構成される。前記第１キャップ支持部１２１は、円形状に突出され、円周に沿って原点を基準として４５゜間隔で凹溝が形成され、着脱回転キャップの第１キャップ挿入部のホックドット（Ｈｏｏｋ  Ｄｏｔ）が引っ掛かるように誘導させてクリッキング音と共にキャラクタケースが４５°の間隔に回転されるように案内する役割をする。
【００２１】
これは、図４及び図５に示すように、円形状に突出されて形成されたキャップ支持本体と、キャップ支持本体の円周に沿って点に基づいて４５゜間隔で凹溝が形成される。
【００２２】
ここで、凹溝は８個に形成され、これによってキャップ支持本体が８個に分割されて構成される。
【００２３】
前記第１キャップ支持部１２１が４５゜間隔で凹溝が形成されることで、第１キャップ挿入部のホックドット（Ｈｏｏｋ  Ｄｏｔ）が回転されながら凹溝に引っ掛かりクリッキング音を出すように誘導することができ、それと共にキャラクタケースが４５°（θ）間隔で回転されるように案内することができる。
【００２５】
前記第２キャップ支持部１２２は、第１キャップ支持部内側に位置されながら、
（外１）
0005883145.tif 000002
形状の突起１２２ａが先端部に形成されて着脱回転キャップの第２キャップ挿入部が引っ掛かるように、第２キャップ挿入部の上端部を支持した状態で第１キャップ支持部から伝達された回転力と回転角度でキャラクタケースを回転させる役割をする。
【００２６】
次に、本発明によるキャラクタケース２００について説明する。
【００２７】
前記キャラクタケース２００は、スマートフォンケースの外部表面の中央一側と着脱結合されてユーザの設定によってキャラクタを、スマートフォンケースを基準として回転させる役割をする。
【００２８】
これは、キャラクタ本体２１０、着脱回転キャップ２２０で構成される。前記キャラクタ本体２１０は、動物、植物、人の形状に射出成形し製造されたプラスチック成形キャラクタからなってスマートフォンケース後面に着脱式で設けられる。
【００２９】
これは、キャラクタ内側の内部表面一側に着脱回転キャップ２２０が形成される。
【００３０】
本発明によるキャラクタ本体２１０は、耐久性及び感触が優れ、無毒性材料を圧出成形して製造したものであって、
熱可塑性ポリウレタン（Ｔｈｅｒｍｏｐｌａｓｔｉｃ  Ｐｏｌｙｕｒｅｔｈａｎｅ）２０〜７０ｗｔ％と、
熱可塑性エラストマ（Ｔｈｅｒｍｏｐｌａｓｔｉｃｓ  Ｅｌａｓｔｏｍｅｒ）１０〜５０ｗｔ％と、
熱可塑性ポリスチレン（Ｔｈｅｒｍｏｐｌａｓｔｉｃｓ  Ｐｏｌｙｓｔｙｒｅｎｅ）１０〜４５ｗｔ％と、
熱可塑性ポリオレフィン（Ｔｈｅｒｍｏｐｌａｓｔｉｃｓ  Ｐｏｌｙｏｌｅｆｉｎ）１０〜４５ｗｔ％との混合で組成された混合物を圧出成形して製造する。
【００３１】
より具体的には、熱可塑性ポリウレタン（Ｔｈｅｒｍｏｐｌａｓｔｉｃ  Ｐｏｌｙｕｒｅｔｈａｎｅ）３０ｗｔ％、熱可塑性エラストマ（Ｔｈｅｒｍｏｐｌａｓｔｉｃｓ  Ｅｌａｓｔｏｍｅｒ）２０ｗｔ％、熱可塑性ポリスチレン（Ｔｈｅｒｍｏｐｌａｓｔｉｃｓ  Ｐｏｌｙｓｔｙｒｅｎｅ）１５ｗｔ％、熱可塑性ポリプロピレン３５ｗｔ％の混合で組成された樹脂混合物を圧出成形機のスクリューのＬ／Ｄ（長さ／直径比）は２８〜３２：１、圧縮比は２．５〜３．０の範囲で圧出成形する。
【００３２】
前記熱可塑性ポリウレタン（Ｔｈｅｒｍｏｐｌａｓｔｉｃ  Ｐｏｌｙｕｒｅｔｈａｎｅ）は、機械的強度、耐磨耗性が卓越であり、耐屈曲性、着色性、感触などにおいて優れた性質を有するものであって、２０ｗｔ％未満の場合には耐久性が低下して製品の破損の恐れがあって、７０ｗｔ％を超過すると成形性が低下するので、前記熱可塑性ポリウレタン（Ｔｈｅｒｍｏｐｌａｓｔｉｃ  Ｐｏｌｙｕｒｅｔｈａｎｅ）の使用量は全体混合物に対して２０〜７０ｗｔ％の範囲内に限定することが好ましい。
【００３３】
前記熱可塑性エラストマ（Ｔｈｅｒｍｏｐｌａｓｔｉｃｓ  Ｅｌａｓｔｏｍｅｒ）は成形性を高めるために使用するものであって、その使用量が１０ｗｔ％未満の場合には成形性が低下し、４５ｗｔ％を超えると耐久性が低下するので、前記熱可塑性エラストマ（Ｔｈｅｒｍｏｐｌａｓｔｉｃｓ  Ｅｌａｓｔｏｍｅｒ）の使用量は全体混合物に対して１０〜４５ｗｔ％の範囲内に限定することが好ましい。
【００３４】
前記ポリスチレン（Ｔｈｅｒｍｏｐｌａｓｔｉｃｓ  Ｐｏｌｙｓｔｙｒｅｎｅ）の使用量が１０ｗｔ％未満の場合には、相対的に他の成分の使用量が増加し、コストが増加するので、非経済的な問題点があり、４５ｗｔ％を越える場合には耐久性など物品の特性が急激に低下するという問題点があるので、前記ポリスチレン（Ｔｈｅｒｍｏｐｌａｓｔｉｃｓ  Ｐｏｌｙｓｔｙｒｅｎｅ）の使用量は全体混合物に対して１０〜４５ｗｔ％の範囲内に限定することが好ましい。
【００３５】
前記熱可塑性ポリオレフィン（Ｔｈｅｒｍｏｐｌａｓｔｉｃｓ  Ｐｏｌｙｏｌｅｆｉｎ）は低い摩擦係数を有する最も軽いプラスチックとして、耐久性、耐熱性、耐化学性が優れて毒性がなく透明な特性を有するものであって、高密度ポリエチレン、超高密度ポリエチレン、低密度ポリエチレン、超低密度ポリエチレン、線形低密度ポリエチレン、ポリプロピレン、エチレン酢酸ビニール樹脂から選択されるいずれか１種以上を使用する。
【００３６】
前記熱可塑性ポリオレフィンの用量が１０ｗｔ％未満の場合には製品の耐久性が低下し、４５ｗｔ％を超える場合には製品の成形性が低下するので、前記熱可塑性ポリオレフィン（Ｔｈｅｒｍｏｐｌａｓｔｉｃｓ  Ｐｏｌｙｏｌｅｆｉｎ）の使用量は全体混合物に対して１０〜４５ｗｔ％の範囲内に限定することが好ましい。
【００３７】
また、本発明によるキャラクタ本体２１０は、動物、植物、人の形状に射出成形で製造されたプラスチック成形キャラクタ以外にも縫いぐるみ形状に製造された人形キャラクタからなってスマートフォンケース後面に着脱式で設けられる。
【００３８】
ここで、縫いぐるみ形状に製造された人形キャラクタは、動物、植物、人の形状を縫製して人形として製造されたものであって、内部に着脱回転キャップが形成される。
【００３９】
前記着脱回転キャップ２２０は、キャラクタ本体の外部表面の中央に一体型に形成されてスマートフォンケースと着脱式に結合されながらスマートフォンケースを基準としてクリッキング音と共に１゜〜３６０゜回戦される。
【００４０】
これは、第１キャップ挿入部２２１、第２キャップ挿入部２２２で構成される。前記第１キャップ挿入部２２１は、第１キャップ支持部の支持空間に挿入されるように円形状に突出され、円周に沿って原点を基準として東西南北方向である９０゜間隔でホックドット（Ｈｏｏｋ  Ｄｏｔ）２２１ａが形成され、第１キャップ支持部の凹溝に引っ掛かりクリッキング音と共に４５°に回転される。
【００４１】
そこで、ホックドットはボールタイプで形成されて凹溝に掛かる係止突起の役割をする。
【００４２】
前記第２キャップ挿入部２２２は、図２及び図３に示すように、第１キャップ支持部内側に位置されながら、第２キャップ支持部と接触される部位２２２ａが凸に突出して形成されて第２キャップ支持部の
（外２）
0005883145.tif 000003
形状の突起と弾力性あるように結合されながら第１キャップ挿入部に伝達された回転力と回転角度により回転される。
【００４３】
以下、本発明によるクリッキング回転機能を有するキャラクタケースとスマートフォンケースとが結合されたダブル型ケースの具体的な動作過程について説明する。
【００４４】
まずは、スマートフォンケース１００がスマートフォン背面に結合される。続いて、スマートフォンケース１００の外部表面の中央一側に形成されたクリッキング固定キャップ１２０にキャラクタケースの着脱回転キャップ２２０が着脱されて結合される。
【００４５】
続いて、スマートフォンケースを中心にキャラクタケースを１゜〜３６０゜に回転させる。
【００４６】
この場合、クリッキング音と共に、ユーザが所望する回転角度に正位置されて据置台として使用することができる。
【００４７】
また、図７に示すように、本発明によるプラスチック成形キャラクタを有するキャラクタケースとスマートフォンケースがスライド方式に結合され、図８に示すように、本発明による縫いぐるみキャラクタを有するキャラクタケースとスマートフォンケースがベルクロテープに結合され、図９に示すように、縫いぐるみキャラクタを有するキャラクタケースとスマートフォンケースがクリッキング固定キャップ１２０と着脱回転キャップ２２０に結合することができる。
【図１】
0005883145.tif 000006
【図２】
0005883145.tif 000007
【図３】
0005883145.tif 000008
【図４】
0005883145.tif 000009
【図５】
0005883145.tif 000010
【図６】
0005883145.tif 000011
【図７】
0005883145.tif 000012
【図８】
0005883145.tif 000013
【図９】
0005883145.tif 000014